(57)【要約】【課題】マイクロフォンを使用する際にマイクロフォンが収納された状態であることを簡易に検出できる情報処理装置を提供する。【解決手段】本情報処理装置は、マイクロフォン、収納部、音源および判定部を備える。収納部は、マイクロフォンを収納する。音源は基準音を出力する。判定部は、音源に基準音を出力させてマイクロフォンが取得した音の特徴と、音源に基準音を出力させて収納部に収納されたマイクロフォンが予め取得しておいた音の特徴とに基づいて、マイクロフォンが収納部に収納されているか否かを判定する。【選択図】図６
2018151943.tif 000002
【特許請求の範囲】
【請求項１】
マイクロフォンと、
前記マイクロフォンを収納する収納部と、
基準音を出力する音源と、
前記音源に前記基準音を出力させて前記マイクロフォンが取得した音の特徴と、前記音源に前記基準音を出力させて前記収納部に収納された前記マイクロフォンが予め取得しておいた音の特徴とに基づいて、前記マイクロフォンが前記収納部に収納されているか否かを判定する判定部と、を備える、
情報処理装置。
【請求項２】
前記判定部による判定結果を通知する通知部を更に備える、
請求項１に記載の情報処理装置。
【請求項３】
前記通知部は、前記マイクロフォンに音を取得させるソフトウェアが起動されているにもかかわらず前記マイクロフォンが前記収納部に収納されている場合に前記判定結果の通知を行う、
請求項２に記載の情報処理装置。
【請求項４】
前記音源が出力する基準音は、前記情報処理装置が備えたハードウェアの動作音とは異なる音である、
請求項１から３のいずれか一項に記載の情報処理装置。
【請求項５】
マイクロフォンと、前記マイクロフォンを収納する収納部と、基準音を出力する音源とを備えた情報処理装置に、
前記音源に前記基準音を出力させて前記マイクロフォンが取得した音の特徴と、前記音源に前記基準音を出力させて前記収納部に収納された前記マイクロフォンが取得した音の特徴とに基づいて、前記マイクロフォンが前記収納部に収納されているか否かを判定させる、
情報処理プログラム。
【発明の詳細な説明】
【技術分野】
【０００１】
本発明は、情報処理装置および情報処理プログラムに関する。
【背景技術】
【０００２】
近年の情報処理装置では、デザイン性の向上等のため、ディスプレイの狭額縁化が進んでいる。狭額縁化したディスプレイでは額縁内にマイクロフォンを設けることが困難となる。そこで、自装置内に収納可能なマイクロフォンを備えた情報処理装置が利用されている。
【先行技術文献】
【特許文献】
【０００３】
【特許文献１】特開２００８−３０４８７２号公報
【発明の概要】
【発明が解決しようとする課題】
【０００４】
マイクロフォンを自装置内に収納可能な情報処理装置では、マイクロフォンが収納された状態でユーザーがマイクロフォンを使用しようとする場合があり得る。収納された状態でマイクロフォンが使用されると正常に音声が取得されず、ユーザーがマイクロフォンの故障または音声を取得するアプリケーションの設定不具合等を疑う可能性がある。このような場合、ユーザーに対してマイクロフォンの準備を促すには、マイクロフォンが収納されているか否かを判定できることが好ましい。ここで、スイッチまたはセンサー等を利用してマイクロフォンが収納されているか否かを判定する方法も考えられる。しかしながら、スイッチまたはセンサー等を設けると追加コストが生じる。
【０００５】
そこで、開示の技術の１つの側面は、マイクロフォンを使用する際にマイクロフォンが収納された状態であるか否かを簡易に判定できる情報処理装置を提供することを目的とする。
【課題を解決するための手段】
【０００６】
開示の技術の１つの側面は、次のような情報処理装置によって例示される。本情報処理装置は、マイクロフォン、収納部、音源および判定部を備える。収納部は、マイクロフォンを収納する。音源は基準音を出力する。判定部は、音源に基準音を出力させてマイクロフォンが取得した音の特徴と、音源に基準音を出力させて収納部に収納されたマイクロフォンが予め取得しておいた音の特徴とに基づいて、マイクロフォンが収納部に収納されているか否かを判定する。
【発明の効果】
【０００７】
本情報処理装置は、マイクロフォンを使用する際にマイクロフォンが収納された状態であるか否かを簡易に判定できる。
【図面の簡単な説明】
【０００８】
【図１】図１は、実施形態に係るデスクトップパソコンの正面図の一例である。
【図２】図２は、実施形態に係るデスクトップパソコンの背面図の一例を示す図である。
【図３】図３は、マイクロフォンユニットが収納部に収納された状態のデスクトップパソコンの一例を示す図である。
【図４】図４は、デスクトップパソコンのハードウェア構成の一例を示す図である。
【図５】図５は、デスクトップパソコンの処理ブロックの一例を示す図である。
【図６】図６は、実施形態に係る処理フローの一例を示す図である。
【図７】図７は、音の音圧と周波数の対応を例示する図の一例である。
【図８】図８は、ディスプレイにメッセージが出力されたデスクトップパソコンの一例を示す図である。
【発明を実施するための形態】
【０００９】
＜実施形態＞
以下、図面を参照して、一実施形態に係るデスクトップ型パーソナルコンピュータについて説明する。以下に示す実施形態の構成は例示であり、開示の技術は実施形態の構成に限定されない。
【００１０】
実施形態では、マイクロフォンユニットを備えたデスクトップ型パーソナルコンピュータが例示される。図１および図２は、実施形態に係るデスクトップ型パーソナルコンピュータ１（以下、本明細書においてデスクトップパソコン１）の一例を示す図である。図１は、実施形態に係るデスクトップパソコン１の正面図の一例である。図２は、実施形態に係るデスクトップパソコン１の背面図の一例を示す図である。デスクトップパソコン１は、本体部１０、マイクロフォンユニット２０およびディスプレイ３０を備える。マイクロフォンユニット２０は、その正面に、マイクロフォン２１を有する。
【００１１】
マイクロフォンユニット２０は、音声を取得するマイクロフォン２１を含むユニットである。マイクロフォンユニット２０は、デスクトップパソコン１に収納可能である。マイクロフォンユニット２０は、使用するときは上方向に引き出され、図１に例示されるような状態となる。マイクロフォンユニット２０が引き出されると、マイクロフォンユニット２０のマイクロフォン２１はデスクトップパソコン１のユーザーの方向に向けられる。また、マイクロフォンユニット２０は、使用しないときは、ディスプレイ３０の背面に設けられた収納部４０に収納される。図３は、マイクロフォンユニット２０が収納部４０に収納された状態のデスクトップパソコン１の一例を示す図である。図３では、収納部４０に収納されたマイクロフォンユニット２０およびマイクロフォン２１は点線で示されている。また、収納した状態ではマイクロフォンユニット２０と収納部４０とが正面視では略重なっている。マイクロフォンユニット２０は、収納されると、図３に例示されるように、ディスプレイ３０から突出しない。マイクロフォンユニット２０およびマイクロフォン２１は、「マイクロフォン」の一例である。収納部４０は、「収納部」の一例である。
【００１２】
本体部１０は、Central Processing Unit（ＣＰＵ）、メモリーおよびHard Disk Drive（ＨＤＤ）を備える。本体部１０は、メモリー上に実行可能に展開されたプログラムをプロセッサが実行することで各種の情報処理を行う。本体部１０は、例えば、情報処理の結果をディスプレイ３０に出力する。
【００１３】
図４は、デスクトップパソコン１のハードウェア構成の一例を示す図である。デスクトップパソコン１は、ＣＰＵ１１、メモリー１２、ＨＤＤ１３、ディスプレイ３０、チップセット１４、Optical Disc Drive（ＯＤＤ）１５、ＦＡＮ１６、ブザー１７、オーディオコーデック２２およびマイクロフォン２１を備える。
【００１４】
デスクトップパソコン１では、ＣＰＵ１１がＨＤＤ１３に記憶されたプログラムをメモリー１２の作業領域に展開し、プログラムの実行を通じて周辺装置の制御を行う。これにより、デスクトップパソコン１は、所定の目的に合致した処理を実行することができる。メモリー１２およびＨＤＤ１３は、デスクトップパソコン１が読み取り可能な記録媒体である。
【００１５】
メモリー１２は、ＣＰＵ１１から直接アクセスされる記憶部として例示される。メモリー１２は、Random Access Memory（ＲＡＭ）およびRead Only Memory（ＲＯＭ）を含む。
【００１６】
ＨＤＤ１３は、各種のプログラムおよび各種のデータを読み書き自在に記録媒体に格納する。ＨＤＤ１３は外部記憶装置とも呼ばれる。ＨＤＤ１３には、オペレーティングシステム（Operating System、ＯＳ）、各種プログラム、各種テーブル等が格納される。外部装置等には、例えば、コンピュータネットワーク等で接続された、他の情報処理装置および外部記憶装置が含まれる。なお、ＨＤＤ１３は、例えば、ネットワーク上のコンピュータ群であるクラウドシステムの一部であってもよい。
【００１７】
デスクトップパソコン１が備える外部記憶装置は、ＨＤＤ１３に限定されるわけではない。外部記憶装置は、例えば、Erasable Programmable ROM（ＥＰＲＯＭ）またはソリッ
ドステートドライブ（Solid State Drive、ＳＳＤ）であってもよい。また、外部記憶装
置は、Network Attached Storage（ＮＡＳ）あるいはStorage Area Network（ＳＡＮ）によって提供されてもよい。
【００１８】
ＯＤＤ１５は、光学ディスクドライブである。ＯＤＤ１５は、例えば、Compact Disc（ＣＤ）ドライブ装置、Digital Versatile Disc（ＤＶＤ）ドライブ装置、Blu-ray（登録
商標） Disc（ＢＤ）ドライブ装置等である。
【００１９】
デスクトップパソコン１が読み取り可能な記録媒体とは、データやプログラム等の情報を電気的、磁気的、光学的、機械的、または化学的作用によって蓄積し、デスクトップパソコン１から読み取ることができる記録媒体をいう。このような記録媒体のうちデスクトップパソコン１から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリーなどのメモリーカード等がある。
【００２０】
ディスプレイ３０は、例えば、ＣＰＵ１１で処理されるデータやメモリー１２に記憶されるデータを出力する出力部である。ディスプレイ３０として、例えば、Cathode Ray Tube（ＣＲＴ）ディスプレイ、Liquid Crystal Display（ＬＣＤ）、Plasma Display Panel（ＰＤＰ）、Electroluminescence（ＥＬ）パネルあるいは有機ＥＬパネルといった出力
デバイスを例示できる。
【００２１】
ＦＡＮ１６は、デスクトップパソコン１の内部を冷却する冷却ファンである。ＦＡＮ１６は、デスクトップパソコン１の筐体内部の温度に応じてファンの回転数が制御される。
【００２２】
ブザー１７は、音を出力する出力装置である。ブザー１７は、デスクトップパソコン１のマザーボードに含まれる。ブザー１７は、例えば、デスクトップパソコン１に設けられたハードウェア等に何らかの問題があった場合に、音を出力することでユーザーに問題の存在を通知できる。ブザー１７は、「音源」の一例である。
【００２３】
マイクロフォン２１は、音声入力を受け付ける装置である。マイクロフォン２１から入力された音はオーディオコーデック２２によってデジタルデータに変換される。デジタルデータは、音声データとして、例えば、ＨＤＤ１３に格納される。
【００２４】
チップセット１４は、ＣＰＵ１１、メモリー１２、ＨＤＤ１３、ディスプレイ３０、チップセット１４、ＯＤＤ１５、ＦＡＮ１６、ブザー１７、オーディオコーデック２２およびマイクロフォン２１との間の通信を制御する。
【００２５】
＜デスクトップパソコン１の処理ブロック＞
図５は、デスクトップパソコン１の処理ブロックの一例を示す図である。デスクトップパソコン１は、ＯＳ制御部１０１、マイクロフォン制御部１０２、収納判定部１０３および映像出力部１０４を備える。デスクトップパソコン１は、メモリー１２に実行可能に展開されたコンピュータプログラムをＣＰＵ１１が実行することで、上記デスクトップパソコン１の、ＯＳ制御部１０１、マイクロフォン制御部１０２、収納判定部１０３および映像出力部１０４等の各部としての処理を実行する。ＣＰＵ１１は、Microprocessor Unit
（ＭＰＵ）、プロセッサとも呼ばれる。ＣＰＵ１１は、単一のプロセッサに限定される訳ではなく、マルチプロセッサ構成であってもよい。また、単一のソケットで接続される単一のＣＰＵ１１がマルチコア構成を有していても良い。上記各部の少なくとも一部の処理は、ＣＰＵ１１以外のプロセッサ、例えば、Digital Signal Processor（ＤＳＰ）、Graphics Processing Unit（ＧＰＵ）、数値演算プロセッサ、ベクトルプロセッサ、画像処理プロセッサ等の専用プロセッサで行われても良い。また、上記各部の少なくとも一部の処理は、集積回路（ＩＣ）、その他のデジタル回路であっても良い。また、上記各部の少なくとも一部にアナログ回路が含まれても良い。集積回路は、ＬＳＩ、Application Specific Integrated Circuit（ＡＳＩＣ）、プログラマブルロジックデバイス（ＰＬＤ）を含
む。ＰＬＤは、例えば、Field-Programmable Gate Array（ＦＰＧＡ）を含む。上記各部
は、プロセッサと集積回路との組み合わせであっても良い。組み合わせは、例えば、マイクロコントローラユニット（ＭＣＵ）、System-on-a-chip（ＳｏＣ）、システムＬＳＩ、チップセットなどと呼ばれる。
【００２６】
マイクロフォン制御部１０２は、マイクロフォン２１による音声の取得を制御する。マイクロフォン制御部１０２は、音声アプリ１０２ａを含む。音声アプリ１０２ａは、マイクロフォン２１による音声取得で使用されるユーザーインターフェースを提供する。音声アプリ１０２ａは、例えば、マイクロフォン２１が取得した音声をデジタルデータに変換してＨＤＤ１３に格納する。音声アプリ１０２ａは、「マイクロフォンに音を取得させるソフトウェア」の一例である。
【００２７】
収納判定部１０３は、マイクロフォンユニット２０が収納されているか否かを判定する。収納判定部１０３は、マイクロフォン２１に音声入力の受け付けを開始するよう指示する。収納判定部１０３は、収納部４０に収納されたマイクロフォンユニット２０のマイクロフォン２１がブザー１７によって出力された音を取得した際の音声データの特徴情報を基準音データとしてＨＤＤ１３に格納する。収納判定部１０３は、マイクロフォン２１が取得した音声の特徴情報と基準音データとの比較に基づいて、マイクロフォンユニット２０が収納されているか否かの判定を行う。収納判定部１０３は、例えば、マイクロフォン２１が取得した音声の特徴情報と基準音データとの差が所定の範囲内である場合、マイクロフォンユニット２０が収納部４０に収納されていると判定する。また、収納判定部１０３は、マイクロフォン２１が取得した音声の特徴情報と基準音データとの差が所定の範囲を超えた場合、マイクロフォンユニット２０が収納部４０に収納されていないと判定する。収納判定部１０３は、「判定部」の一例である。
【００２８】
映像出力部１０４は、他の処理部の出力結果をＯＳ制御部１０１を介して受け取る。映像出力部１０４は、受け取った出力結果をディスプレイ３０に出力する。
【００２９】
ＯＳ制御部１０１は、マイクロフォン制御部１０２、収納判定部１０３および映像出力部１０４間の情報のやりとりを中継する。また、ＯＳ制御部１０１は、デスクトップパソコン１が備える各種ハードウェア資源の制御を行う。
【００３０】
＜処理フロー＞
図６は、実施形態に係る処理フローの一例を示す図である。以下、図６を参照して、実施形態に係る処理フローの一例について説明する。
【００３１】
ＯＰ１では、梱包されたデスクトップパソコン１がユーザーによって開封される。デスクトップパソコン１は、ユーザーによって初期設定が行われる。初期設定では、マイクロフォンユニット２０が収納部４０に収納された状態で、ブザー１７によって出力される音が測定される。ブザー１７が出力した音はマイクロフォン２１が取得する。マイクロフォン２１が取得した音は、オーディオコーデック２２によってデジタルデータに変換される。オーディオコーデック２２は、デジタルデータに変換する際に、マイクロフォン２１が取得した音からＨＤＤ１３、ＯＤＤ１５、ＦＡＮ１６によって例示されるデスクトップパソコン１が備えたハードウェアの動作音を除去してもよい。動作音を除去する方法に限定は無い。動作音を除去する方法には、様々な公知の方法を採用できる。ＯＰ２では、ＯＰ１で変換されたデジタルデータから基準音データを生成する。生成された基準音データはＨＤＤ１３に格納される。基準音データは、ブザー１７が出力した音の特徴情報を含む。特徴情報は、例えば、ＯＰ１でマイクロフォン２１が取得したブザー１７の音の音圧と周波数とを数値化したデータである。
【００３２】
ＯＰ３では、デスクトップパソコン１のユーザーによって音声アプリ１０２ａが起動される。ＯＰ４では、ＯＰ３で起動された音声アプリ１０２ａは、ブザー１７に音を出力させる。出力された音は、マイクロフォン２１が取得する。
【００３３】
ＯＰ５では、収納判定部１０３は、マイクロフォン２１が取得した音の周波数および音圧を測定する。ＯＰ６では、収納判定部１０３は、ＯＰ５で測定した周波数および音圧と基準音データの周波数および音圧とを比較する。図７は、音の音圧と周波数の対応を例示する図の一例である。図７において、実線は基準音データの周波数と音圧の対応を例示する。点線は、マイクロフォンユニット２０が収納部４０に収納された状態でマイクロフォン２１が取得したブザー１７の音の周波数と音圧との対応を例示する。二点鎖線は、収納部４０から引き出された状態のマイクロフォン２１が取得したブザー１７の音の周波数と音圧との対応を例示する。図７に例示されるように、マイクロフォンユニット２０が収納部４０から引き出された状態と収納部４０に収納された状態とを比較すると、音圧および周波数の対応が異なる。そのため、収納判定部１０３は、基準音データの音圧および周波数とマイクロフォン２１が取得した音の音圧および周波数とを比較することで、マイクロフォンユニット２０の収納状態を判定できる。
【００３４】
測定した周波数および音圧と基準音データとの差が所定範囲内に収まる場合（ＯＰ７でＹｅｓ）、処理はＯＰ８に進められる。測定した周波数および音圧と基準音データとの差が所定範囲を超える場合（ＯＰ７でＮｏ）、処理はＯＰ９に進められる。
【００３５】
ＯＰ８では、収納判定部１０３は、マイクロフォンユニット２０が収納部４０に収納されていると判定する。収納判定部１０３は、ＯＳ制御部１０１を介して、映像出力部１０４に「マイクロフォン収納状態」とのメッセージを出力するよう依頼する。映像出力部１０４は、ディスプレイ３０に依頼されたメッセージ「マイクロフォン収納状態」を出力する。図８は、ディスプレイ３０にメッセージが出力されたデスクトップパソコン１の一例を示す図である。図８では、メッセージウインドウＭ１に「マイクロフォン収納状態」とのメッセージが出力されている。デスクトップパソコン１は、メッセージを出力することで、ユーザーにマイクロフォンユニット２０が収納されていることを通知できる。映像出力部１０４は、「通知部」の一例である。
【００３６】
ＯＰ９では、収納判定部１０３は、マイクロフォンユニット２０が収納部４０に収納されていないと判定する。
【００３７】
＜実施形態の作用効果＞
実施形態では、収納判定部１０３は、マイクロフォンユニット２０が取得した音と基準音データとの差が所定範囲内に収まるか否かによって、マイクロフォンユニット２０が収納されているか否かを判定した。判定結果は、収納判定部１０３によってＯＳ制御部１０１を介してディスプレイ３０に出力された。すなわち、実施形態に係るデスクトップパソコン１は、マイクロフォンユニット２０が収納されているか否かを判定できる。さらに、実施形態に係るデスクトップパソコン１は、判定結果をユーザーに通知することもできる。
【００３８】
実施形態では、マイクロフォンユニット２０が収納されているか否かの判定は、マイクロフォンユニット２０が備えたマイクロフォン２１およびマザーボードに設けられるブザー１７を用いて行われた。マイクロフォン２１はマイクロフォンユニット２０に元々備えられているハードウェアであり、ブザー１７はマザーボードに元々備えられているハードウェアである。そのため、実施形態によれば、ハードウェアの追加を行わなくとも、マイクロフォンユニット２０が収納されているか否かを判定できる。
【００３９】
実施形態では、音声アプリ１０２ａが起動している状態でマイクロフォンユニット２０が収納されている場合、ユーザーにカメラユニットが収納されていることが通知される。すなわち、実施形態によれば、ユーザーがマイクロフォン２１を利用しようとしているにもかかわらずマイクロフォンユニット２０が収納されている場合に、マイクロフォンユニット２０が収納されていることをユーザーに通知できる。
【００４０】
実施形態では、ブザー１７から出力される音の特徴が基準音データとして用いられた。デスクトップパソコン１は、ブザー１７以外にもＨＤＤ１３、ＯＤＤ１５、ＦＡＮ１６に例示されるように動作時に動作音を出すハードウェアが備えられている。そのため、ＨＤＤ１３、ＯＤＤ１５、ＦＡＮ１６等が出す動作音の特徴情報を基準音データとして用いることも考えられる。しかしながら、ＨＤＤ１３、ＯＤＤ１５、ＦＡＮ１６が出す動作音は動作状態によって変動する。そのため、ＨＤＤ１３、ＯＤＤ１５、ＦＡＮ１６が出す動作音の特徴情報は、基準音データとして適切とは言い難い。また、ＨＤＤ１３、ＯＤＤ１５、ＦＡＮ１６が出す動作音とデスクトップパソコン１の筐体外での音が偶然一致した場合、マイクロフォンユニット２０の収納状態を判定することは困難となる。ブザー１７は、ＨＤＤ１３、ＯＤＤ１５およびＦＡＮ１６の動作音とは異なり、既定の音を出力できる。また、ブザー１７は、デスクトップパソコン１の内外の音と異なる音を出力できる。そのため、ブザー１７は、ＨＤＤ１３、ＯＤＤ１５、ＦＡＮ１６よりも基準音データの取得元として好適である。また、ブザー１７が出力する音は、ＨＤＤ１３、ＯＤＤ１５、ＦＡＮ１６のいずれが出す音とも異なるため、マイクロフォン２１が取得した音からＨＤＤ１３、ＯＤＤ１５、ＦＡＮ１６が出す音を除去してブザー１７の音を抽出することも容易である。
【００４１】
ブザー１７が出力する音は、デスクトップパソコン１の筐体外では聴取困難となる音量としてもよい。このような音量とすることで、マイクロフォンユニット２０の収納状態を判定する際に出力されるブザー１７の音によるユーザーの違和感が軽減される。
【００４２】
実施形態では、基準音データの音圧および周波数とマイクロフォン２１に入力された音の音圧および周波数とがマイクロフォンユニット２０の収納状態の判定に用いられた。しかしながら、判定に用いる音の特徴情報は音圧と周波数に限定されない。判定に用いる音の特徴情報は、例えば、音の継続時間を用いてもよい。
【００４３】
実施形態では、マイクロフォンユニット２０の収納状態の判定に用いる音の音源としてブザー１７が採用された。しかしながら、マイクロフォンユニット２０の収納状態の判定に用いる音の音源はブザー１７に限定されない。判定の用いる音の音源は、例えば、予め
記録した音声データをスピーカーから出力したものでもよい。また、例えば、判定の用いる音の音源は、ソフトウェアによって生成した音声データをスピーカーから出力したものでもよい。
【００４４】
実施形態では、図６のＯＰ１で説明したように初期設定はユーザーによって実行された。しかしながら、初期設定はユーザーによる実行に限定されず、例えば、デスクトップパソコン１の出荷時にメーカーによって行われてもよい。
【符号の説明】
【００４５】
１・・・デスクトップパソコン
１０・・・本体部
１１・・・ＣＰＵ
１２・・・メモリー
１３・・・ＨＤＤ
１４・・・チップセット
１５・・・ＯＤＤ
１６・・・ＦＡＮ
１７・・・ブザー
２０・・・マイクロフォンユニット
２１・・・マイクロフォン
２２・・・オーディオコーデック
３０・・・ディスプレイ
４０・・・収納部
１０１・・・ＯＳ制御部
１０２・・・マイクロフォン制御部
１０２ａ・・・音声アプリ
１０３・・・収納判定部
１０４・・・映像出力部
Ｍ１・・・メッセージウインドウ
【図１】
2018151943.tif 000003
【図２】
2018151943.tif 000004
【図３】
2018151943.tif 000005
【図４】
2018151943.tif 000006
【図５】
2018151943.tif 000007
【図６】
2018151943.tif 000008
【図７】
2018151943.tif 000009
【図８】
2018151943.tif 000010